(57)【要約】【課題】本発明は、低級アルコールを高濃度に含有し、優れた発泡性のみならず発泡させた泡が非常に安定である、泡状アルコール組成物を提供することを目的とする。【解決手段】本発明にかかる泡状アルコール組成物は、低級アルコール、水及び噴射剤の他に、パーフルオロアルキルアルコール含むことを特徴とするものである。パーフルオロアルキルアルコールはより具体的には下記一般式（１）で表される。ＣｍＦ２ｍ＋１ＣｎＨ２ｎＯＨ              （１）（式中、ｍは２〜１８の整数、ｎは１〜３の整数を表す。）【選択図】  なし【特許請求の範囲】
【請求項１】
炭素数１〜４の低級アルコール、水、及び下記一般式（１）で表されるパーフルオロアルキルアルコールを含む原液と、噴射剤とを含有することを特徴とする、泡状アルコール組成物。
ＣｍＦ２ｍ＋１ＣｎＨ２ｎＯＨ              （１）
（式中、ｍは２〜１８の整数、ｎは１〜３の整数を表す。）
【請求項２】
前記原液が、前記低級アルコール６０〜９９質量部、水４０〜１質量部、及び前記パーフルオロアルキルアルコール０．０５〜１５質量部を含むことを特徴とする、請求項１に記載の泡状アルコール組成物。
【請求項３】
前記低級アルコールが、エチルアルコール又はイソプロピルアルコールである、請求項１又は２のいずれかに記載の泡状アルコール組成物。
【請求項４】
前記原液と、前記噴射剤との配合比率（質量比）が８０：２０〜９５：５である、請求項１に記載の泡状アルコール組成物。
【発明の詳細な説明】
【０００１】
【発明の属する技術分野】
本発明は、低級アルコールを高濃度に含む原液と噴射剤とからなる泡状アルコール組成物に関する。
【０００２】
【従来の技術】
従来より、低級アルコールは殺菌消毒剤、洗浄剤、着火用の燃料などとして使用されているが、そのほとんどは水溶液状若しくは固形状である。例えば、アルコール水溶液中に手指を浸漬する、アルコール水溶液をスプレーなどにより手指に霧状に塗布する、アルコールを含浸した紙、布、不織布などで手指を拭くなどの方法により殺菌消毒を行っている。同様に、被洗物をアルコール水溶液中に浸漬する、アルコール水溶液をスプレーなどにより被洗物に霧状に塗布し拭き取る、アルコールを含浸した布などで被洗物を拭くなどの方法により洗浄を行っている。さらにはアルコールを含有する固形燃料を補助的に使って薪や木炭に着火させるなどの方法がとられている。
【０００３】
また殺菌消毒に一般に用いられるエチルアルコールの最も殺菌力を発揮するための最適濃度は約８０ｖｏｌ％に希釈されたものであることから、実際の使用に当たって、無水エタノールを蒸留水で希釈して使用するか、若しくは既に７６．９〜８１．４ｖｏｌ％に調整され市販されている日本薬局方「消毒用アルコール」を使用するなどしている。
【０００４】
しかしながら、これらアルコールは一般には瓶に充填されているため携帯性に不便であったり、希釈して使用する場合には濃度の調整が面倒であったり、また必要量を必要部位にのみ使用するには液体であるがために難しいという問題があった。
【０００５】
さらに、携帯電話、パソコン等の精密機器を洗浄する際に液状のアルコールを使用すると隙間などに浸透してしまうため乾燥の操作が必要になり、特にアルコール水溶液を使用する場合には水による故障の原因ともなり使用には十分な注意が必要となるなどの問題があった。
【０００６】
また、着火用の燃料としてエアゾール型の携帯用着火剤も知られているが（例えば、特許文献１参照）、液状に噴霧されるため使用量の把握が難しいという問題があった。
【０００７】
かかる従来技術の問題点を解決するために、泡状アルコール組成物が開示されているが（例えば、特許文献２参照）、含有アルコールの濃度、発泡性、さらには発泡した泡の安定性において十分ではなかった。
【０００８】
【特許文献１】
特公平６−７８５４４号公報
【特許文献２】
特開平７−２８５８０８号公報
【０００９】
【発明が解決しようとする課題】
本発明は、低級アルコールを高濃度に含有し、優れた発泡性のみならず発泡させた泡が非常に安定である、泡状アルコール組成物を提供することを目的とする。
【００１０】
【課題を解決するための手段】
本発明者は、上記問題点のない泡状アルコール組成物を見出すべく鋭意検討を重ねた結果、特定構造のパーフルオロアルキルアルコールを成分とすることにより高濃度のアルコールを含有可能とし、しかも良好な発泡性を示すのみならず優れた泡安定性をも有することを見出し本発明を完成した。
【００１１】
本発明にかかる泡状アルコール組成物は、携帯性に便利で調整の必要がない泡状に噴射し得るアルコール組成物であって、容易に所望する一定量のアルコールを必要な部分にのみ与える事ができ、かつ一定時間泡が流れることなく形を保持し、しかも経時では揮発しながら消えていく等の特長を有するものである。
【００１２】
すなわち本発明にかかる泡状アルコール組成物は、低級アルコール、水及び噴射剤の他に、パーフルオロアルキルアルコールを含むことを特徴とするものである。パーフルオロアルキルアルコールは、より具体的には下記一般式（１）で表される。ここで、低級アルコール、水及びパーフルオロアルキルアルコールを含む液を原液という。
【００１３】
ＣｍＦ２ｍ＋１ＣｎＨ２ｎＯＨ              （１）
（式中、ｍは２〜１８の整数、ｎは１〜３の整数を表す。）
また、本発明にかかる泡状アルコール組成物は、原液が、炭素数１〜４の低級アルコール６０〜９９質量部、水４０〜１質量部、及び上記一般式（１）で表されるパーフルオロアルキルアルコール０．０５〜１５質量部を含むことを特徴とする。
【００１４】
さらに本発明の泡状アルコール組成物は、低級アルコールが、エチルアルコール又はイソプロピルアルコールであることを特徴とする。
また本発明の泡状アルコール組成物は、原液と噴射剤との配合比率（質量比）が８０：２０〜９５：５であることを特徴とする。
以下、本発明を発明の実施の形態に即してさらに詳しく説明する。
【００１５】
【発明の実施の形態】
［パーフルオロアルキルアルコール］
上で説明したように、本発明にかかる泡状アルコール組成物は、パーフルオロアルキルアルコールを含有することを特徴とする。パーフルオロアルキルアルコールにより、所望する一定量のアルコールを必要な部分にのみ与える事ができる良好な発泡性と、かつ一定時間泡が流れることなく形を保持し、しかも経時では揮発しながら消えていく優れた泡安定性とを与えることができる。かかる効果を奏するパーフルオロアルキルアルコールであれば本発明においてはその構造に特に制限はない。本発明において好ましく使用可能なパーフルオロアルキルアルコールは、下記一般式（１）で示されるものである。
ＣｍＦ２ｍ＋１ＣｎＨ２ｎＯＨ              （１）
（式中、ｍは２〜１８の整数、ｎは１〜３の整数を表す。）
具体的には、１，１−ジヒドロパーフルオロプロパノール、２，２，３，３，３−ペンタフルオロプロパノール、２−（パーフルオロヘキシル）エタノール、２−（パーフルオロオクチル）エタノール、２−（パーフルオロデシル）エタノール、２−（パーフルオロドデシル）エタノール、２−（パーフルオロテトラデシル）エタノールなどが挙げられ、好ましくは２−（パーフルオロヘキシル）エタノール、２−（パーフルオロオクチル）エタノール、２−（パーフルオロデシル）エタノール、２−（パーフルオロドデシル）エタノール、２−（パーフルオロテトラデシル）エタノール、特に好ましくは２−（パーフルオロヘキシル）エタノール、２−（パーフルオロオクチル）エタノール、２−（パーフルオロデシル）エタノール、２−（パーフルオロドデシル）エタノールが挙げられる。
これらは１種単独で又は２種以上を併用して用いることができる。
【００１６】
［低級アルコール］
また上で説明したように本発明にかかる泡状アルコール組成物は、目的に応じて種々の低級アルコールを含むことを特徴とする。かかる目的としては、手指その他被洗物に対する殺菌消毒または洗浄、特に精密機器に対する洗浄が挙げられ、着火用の燃料もまた挙げられる。かかる目的に合致するものであれば低級アルコールの構造については特に制限はない。本発明において好ましく使用できる低級アルコールは炭素数１〜４の低級アルコールであって、具体的には、メタノール、エタノール、ｎ−プロピルアルコール、イソプロピルアルコール、ｎ−ブチルアルコール、イソブチルアルコールなどが挙げられる。殺菌消毒の目的には特にエタノール、イソプロピルアルコールが好ましい。
【００１７】
［噴射剤］
本発明にかかる泡状アルコール組成物は発泡目的のために噴射剤を含むものである。本発明にかかる泡状アルコール組成物を発泡させるものであれば特に制限はなく、本泡状アルコール組成物の種々の使用目的に応じて適宜選択することが可能である。具体的には、プロパン、ｎ−ブタン、イソブタン等を主成分とする液化石油ガス（ＬＰＧ）、ジメチルエーテル、メチルエチルエーテル、ジエチルエーテル、フロンなどの液化ガス；炭酸ガス、窒素ガスなどのガスが挙げられる。
これらを１種単独で又は２種以上を併用して用いることができる。
【００１８】
［泡状アルコール組成物］
上で説明したとおり、本発明にかかる泡状アルコール組成物は、前記低級アルコール、水、及び前記パーフルオロアルキルアルコールを含む原液と、前記噴射剤とをそれぞれ一定量の割合で含有することを特徴とするものである。
ここで各成分の含有量は、本発明にかかる泡状アルコール組成物の使用する目的、成分の種類により広い範囲で選択することが可能である。具体的には、本発明にかかる泡状アルコール組成物の原液について、低級アルコールは６０〜９９（より好ましくは７０〜９０）質量部、水は４０〜１（より好ましくは３０〜１０）質量部、パーフルオロアルキルアルコールは０．０５〜１５（より好ましくは１〜１０）質量部含むことが好ましい。ここで、前記低級アルコールが６０質量部未満では十分な殺菌効果が得られず、９９質量部を超えると十分な発泡性が得られない。また前記パーフルオロアルキルアルコールが、０．０５質量部未満では十分な発泡性、泡安定性が得られず、１５質量部を超えると粘度が高くなり発泡しにくくなる。
また本発明の噴射剤もまた本発明にかかる泡状アルコール組成物の使用目的によりその種類、量を適宜選択することが可能である。具体的には、原液と噴射剤との配合比率（質量比）が８０：２０〜９５：５（より好ましくは９０：１０〜９５：５）であることが好ましい。噴射剤はこの配合比率より小さい場合には十分な発泡性が得られず、また大きい場合には一定のサイズの安定した泡が得られない。
【００１９】
［その他の成分］
本発明の泡状アルコール組成物には、本発明の目的を阻害しない範囲で、各分野で用いられる成分が配合されていてもよい。この時配合される成分としては、例えば、殺菌剤、抗菌剤、防腐剤、防カビ剤、消臭剤、香料、シリコン系撥水剤、洗浄剤、着色料、泡安定剤などを例示することができる。また、糊剤などの粘度調整剤を配合することもできる。これらの成分の配合についても特に制限はなく、本発明の泡状アルコール組成物の使用目的に応じて適宜選択することが可能である。
【００２０】
【実施例】
以下、本発明を実施例により更に説明するが、本発明はこれらの実施例により何ら限定されるものではない。
［原液１］
撹拌機を備えた容器に、精製水４０ｇ、パーフルオロアルキルアルコールであるパーフルオロアルキルエタノール〔商品名：ケミノックスＦＡ−Ｍ、一般式（１）においてｍが６、８、１０、１２の混合物、日本メクトロン（株）製〕１ｇを仕込み、約６０℃に加温、溶解した後、約３０℃まで冷却してエチルアルコール６０ｇを加えて混合均一として原液１を得た。
【００２１】
［原液２〜４］
原液１と同様に操作して、表１の配合比で混合して原液２〜４を得た。
【００２２】
［比較原液１］
撹拌機を備えた容器に、精製水４０ｇ、ジステアリン酸ペンタグリセリル１ｇ、セトステアリルアルコール０．３ｇを仕込み、約６０℃に加温、溶解した後、約３０℃まで冷却してエチルアルコール６０ｇを加えて混合均一として比較原液１を得た。
【００２３】
［比較原液２、３］
比較原液１と同様に操作して、表２の配合比で混合して比較原液２、３の原液を得た。
【００２４】
［比較原液４］
撹拌機を備えた容器に、精製水４０ｇ、ポリオキシエチレン（７モル付加）ステアリルエーテル１ｇを仕込み、約６０℃に加温、溶解した後、約３０℃まで冷却してエチルアルコール６０ｇを加えて混合均一として比較原液４を得た。
【００２５】
［比較原液５、６］
比較原液４と同様に操作して、表３の配合比で混合して比較原液５、６を得た。
【００２６】
［比較原液７］
撹拌機を備えた容器に、精製水４０ｇ、ポリオキシエチレン（７モル付加）ラウリルエーテル１ｇを仕込み、約６０℃に加温、溶解した後、約３０℃まで冷却してエチルアルコール６０ｇを加えて混合均一として比較原液７を得た。
【００２７】
［比較原液８、９］
比較原液７と同様に操作して、表４の配合比で混合して比較原液８、９を得た。
【００２８】
［実施例１〜４、比較例１〜９］
噴射機構を有する耐圧容器に、原液１〜４又は比較原液１〜９と噴射剤（ＬＰＧ）とを、容量比で９０：１０に充填し、この充填物を２０℃、３０℃、４０℃で噴射し、その発泡性、泡安定性を評価した結果を、表１〜４に示す。
【００２９】
発泡性
○：細かい泡ができる
△：粗い泡ができる
×：泡にならない
泡安定性
○：発泡後、２５秒後においても安定である
△：泡の形状を保つ時間が５秒以上２５秒未満である
×：泡の形状を保つ時間が５秒未満である
−：測定不能
【００３０】
【表１】
2004284996.tif 000002
【００３１】
【表２】
2004284996.tif 000003
【００３２】
【表３】
2004284996.tif 000004
【００３３】
【表４】
2004284996.tif 000005
【００３４】
【発明の効果】
本発明の泡状アルコール組成物によれば、噴射機構を有する容器により、高濃度の低級アルコールを含有する組成物を広範囲の使用温度領域において安定した泡状に噴射できる。消毒用のアルコールとして、あるいは水分を多量に含有させられない精密機械用の洗浄剤として使用したときには、必要量を必要な部分にのみ適用することができる。携帯性にも優れる殺菌消毒剤、洗浄剤、着火用の燃料などとして有用である。